(57)【要約】【課題】データを送信する際の送信先情報及びデータ送信が失敗した場合に用いる代替の送信先情報を、操作者に負担をかけることなく取得することができる送信先情報取得システム等を提供する。【解決手段】送信先情報取得システム１は、データ送信部２がデータを送信可能な送信先に関する送信先情報３と、その送信先情報３に対応する送信先にデータを送信するユーザを識別可能なユーザ識別子４とが関連付けて登録された登録情報５を、ユーザ識別子４を含む検索要求６に従って検索する検索部７を備える。そして、登録情報５は、更に、送信先情報３をエントリとして、その送信先情報３の属性にユーザ識別子４を含む。  そして、検索部７は、送信先情報３の属性に含まれる特定のユーザ識別子４を検索キーワードとして、登録情報５を検索することにより、特定のユーザ識別子４に関連付けされた特定の送信先情報３を取得する。【選択図】      図１
2014068150.tif 000002
【特許請求の範囲】
【請求項１】
データ送信部がデータを送信可能な送信先に関する送信先情報と、その送信先情報に対応する送信先にデータを送信するユーザを識別可能なユーザ識別子とが関連付けて登録された登録情報を、前記ユーザ識別子を含む検索要求に従って検索する検索部を備え、
前記登録情報には、更に、
前記送信先情報をエントリとして、その送信先情報の属性に前記ユーザ識別子が含まれており、
前記検索部は、
前記送信先情報の属性に含まれる特定のユーザ識別子を検索キーワードとして、前記登録情報を検索することにより、該特定のユーザ識別子に関連付けされた特定の送信先情報を取得する
ことを特徴とする送信先情報取得システム。
【請求項２】
前記データ送信部を有する装置のユーザ識別子を基に、そのユーザ識別子に関連付けされた前記送信先情報を検索するよう、前記検索部に要求する検索要求を、前記検索部に対して発行する要求発行部を更に備える
ことを特徴とする請求項１に記載の送信先情報取得システム。
【請求項３】
前記データ送信部は、
前記データを送信するのに失敗した場合に、送信するのに失敗した際に用いた前記送信先情報及び前記自装置のユーザ識別子を基に、該送信先情報とは異なる代替の送信先情報を検索するよう要求する再検索要求を前記検索部に対して発行し、
前記検索部は、
前記登録情報の中から、前記代替の送信先情報を再検索し、再検索された結果である代替送信先情報を前記データ送信部に送信し、該代替送信先情報を受信した前記データ送信部は、受信した前記代替送信先情報に基づいて、前記送信するのに失敗した際の前記データを再送信する
ことを特徴とする請求項１または請求項２に記載の送信先情報取得システム。
【請求項４】
前記データ送信部は、ファクシミリ情報を送信することが可能なファクシミリ装置であり、
前記検索部は、前記登録情報であるデータベースを備えたＬＤＡＰサーバ装置である
ことを特徴とする請求項１乃至請求項３の何れかに記載の送信先情報取得システム。
【請求項５】
前記ファクシミリ装置は、
送信先である他のファクシミリ装置へのファクシミリ情報の送信に失敗した際に、その送信元であるファクシミリ装置において取得されるエラー情報が表すエラー内容に応じて、前記送信に失敗した当該ファクシミリ情報を、前記代替送信先情報が表す別の送信先へ送信するか、または、所定時間の経過後に前記データの送信に失敗した際に用いた同じ送信先に再送信するかの何れかの送信を行なう
ことを特徴とする請求項４に記載の送信先情報取得システム。
【請求項６】
データ送信部がデータを送信可能な送信先に関する送信先情報と、その送信先情報に対応する送信先にデータを送信するユーザを識別可能なユーザ識別子とが関連付けて登録され、更に、前記送信先情報をエントリとして、その送信先情報の属性に前記ユーザ識別子が含まれる登録情報を、前記ユーザ識別子を含む検索要求に従って検索する検索部によって、前記送信先情報の属性に含まれる特定のユーザ識別子を検索キーワードとして検索することにより、その特定のユーザ識別子に関連付けされた特定の送信先情報を取得する、
ことを特徴とする送信先情報取得方法。
【請求項７】
ＬＤＡＰサーバが有するデータベースの登録情報の中から、前記データ送信部自身に対応するユーザ識別子に関連付けられた前記送信先情報である送信先アドレス情報を、前記データ送信部によって検索し、
該当する送信先アドレス情報が見つかれば、前記検索部によって前記ユーザ識別子に関連付けられた送信先アドレス情報を検索結果に追加し、該当する前記送信先アドレス情報が見つからなくなれば、その検索結果である送信先アドレスを出力する、
ことを特徴とする請求項６に記載の送信先情報取得方法。
【請求項８】
前記データ送信部によって、前記データを送信するのに失敗した場合に、該送信するのに失敗した際に用いた送信先アドレス及び前記データ送信部自身が有するユーザ識別子を基に、該送信先アドレスとは異なる代替の送信先アドレスを検索するよう要求する再検索要求を前記ＬＤＡＰサーバに対して発行し、
前記ＬＤＡＰサーバにおける前記検索部は、
前記データベースの中から、前記代替の送信先アドレスを再検索し、
再検索された結果である代替送信先アドレスを前記データ送信部に送信し、
前記代替送信先アドレスを受信した前記データ送信部は、受信した前記代替送信先アドレスに基づいて、前記送信するのに失敗した際の前記データを再送信する、
ことを特徴とする請求項７に記載の送信先情報取得方法。
【請求項９】
データ送信部がデータを送信可能な送信先に関する送信先情報と、その送信先情報に対応する送信先にデータを送信するユーザを識別可能なユーザ識別子とが関連付けて登録され、更に、前記送信先情報をエントリとして、その送信先情報の属性に前記ユーザ識別子が含まれる登録情報を、前記ユーザ識別子を含む検索要求に従って検索するに際して、前記送信先情報の属性に含まれる特定のユーザ識別子を検索キーワードとして、前記登録情報を検索し、その特定のユーザ識別子に関連付けされた特定の送信先情報を取得する検索処理を、コンピュータに実現させる
ことを特徴とするコンピュータ・プログラム。
【請求項１０】
データ送信部がデータを送信可能な送信先に関する送信先情報と、その送信先情報に対応する送信先にデータを送信するユーザを識別可能なユーザ識別子とが関連付けて登録され、更に、前記送信先情報をエントリとして、その送信先情報の属性に前記ユーザ識別子が含まれるデータベースをなす
ことを特徴とするデータ構造。
【発明の詳細な説明】
【技術分野】
【０００１】
本発明は、例えば、データ送信装置等におけるデータの送信先アドレスを取得する技術分野に関する。
【背景技術】
【０００２】
一般的なファクシミリ装置は、電話網（例えば、回線交換機）を使用する。その際、一般的なファクシミリ装置を操作する操作者は、ファクシミリ情報を送信する際に、送信先ファクシミリにおけるファクシミリ番号や、アドレス情報を操作ボタンに登録する。
【０００３】
その際に、操作者は、送信先へのファクシミリ情報の送信操作を簡単且つ、正確に行なうようにするワンタッチアドレスボタン(以下、ワンタッチアドレスと略称する)等の設定を行う。しかし、操作者は、ワンタッチアドレスデータを取得すると共に登録を行なうために、例えば専用の端末を用いる必要がある。
【０００４】
また、一般的なファクシミリ装置を操作する操作者は、ファクシミリ装置に設定されている送信先のファクシミリ番号やアドレス情報を、例えば記録媒体等に一旦コピーしてから、目的とするファクシミリ装置にその内容をコピーすることによりワンタッチアドレスデータを取得すると共に登録する方法を用いる場合は、ファクシミリ装置毎に記録媒体等との間でワンタッチアドレスデータをやりとりする手間を必要とする。
【０００５】
近年、係るファクシミリ装置は、ファクシミリ通信を行なう電話網だけではなく、通信可能なネットワーク（以下、単に「ネットワーク」と称する場合あり）の一例である、Ｌｏｃａｌ＿Ａｒｅａ＿Ｎｅｔｗｏｒｋ（以下、「ＬＡＮ」と略称する）にも接続されるようになり、ファクシミリ装置は他の情報処理装置とも連携してプリンタ機能や、スキャナ機能や、コピー機能、或いはファクシミリ機能等の複合的な機能を提供可能なファクシミリ複合機として利用されるようになっている。
【０００６】
それに伴い、係るファクシミリ装置は、ＬＡＮ等のネットワークを用い、且つ、設定ツールとして利用可能なブラウザ機能等を用いて、ワンタッチアドレス等の各種設定をファクシミリ装置における操作パネルにおいて登録することが出来るようになるなどの改善が図られてきた。
【０００７】
しかしながら、係るＬＡＮ回線等を用いた関連するファクシミリ装置における各種設定情報を取得すると共に登録する際には、次のような問題がある。
【０００８】
第一の問題は、ファクシミリ装置毎に各種設定を取得し、登録しなければならないという煩雑さがある。
【０００９】
また、第二の問題は、ファクシミリ装置毎に例えばワンタッチアドレス等を一旦登録すると、例えば登録したアドレスに変更が生じる度に、ワンタッチアドレスを登録したファクシミリ装置において新たなワンタッチアドレスを取得すると共に、登録した設定を更新しなければならない。
【００１０】
また、例えばＬＡＮ等のネットワークに接続されたファクシミリ装置は、どこに設置されていても、例えば同じワンタッチアドレス画面を表示するようにするためには、ユーザ情報（例えば、ファクシミリ情報を送信する送信先（受信者）のファクシミリ番号や、支店や部署名や、当該ファクシミリ装置を利用する利用者の名前、或いは利用者毎の識別情報であるユーザ識別子（つまり、ユーザＩｄｅｎｔｉｆｉｃａｔｉｏｎ：（以下、「ユーザＩＤ」と略称する））等を登録しておく専用の設定サーバを予め用意しておく必要がある。
【００１１】
これらの問題を更に改善するために、企業等では、企業等において用いられる例えば社員名や、支店等のメールアドレスや電話番号やファクシミリ番号等を一元的に記録すると共に管理する今では一般的なＬＤＡＰ（Ｌｉｇｈｔｗｅｉｇｈｔ＿Ｄｉｒｅｃｔｏｒｙ＿Ａｃｃｅｓｓ＿Ｐｒｏｔｏｃｏｌ）サーバ装置が利用されている。
【００１２】
ここで、ＬＤＡＰサーバ装置とは、ユーザ認証や、登録されたユーザを検索することが可能なＤｉｒｅｃｔｏｒｙ（ディレクトリ）サービスを提供するサーバ装置である。
【００１３】
また、ディレクトリサービスとは、ＬＤＡＰサーバ装置が通信可能に接続するネットワークにおけるユーザ等の情報を一元的に管理し、検索することが可能なシステムである。
【００１４】
つまり、ＬＤＡＰサーバ装置は、ネットワークにおける情報を格納するデータベース（Ｄａｔａｂａｓｅ：以下、「ＤＢ」と略称する）を有し、連絡先であるメールアドレスや、電話番号や、ファクシミリ番号を調べるためのキーワードとなる属性（例えば、人名や、社員番号や、ユーザＩＤ等）を基にして、ＤＢに格納された情報を検索することが可能である。
【００１５】
ところで、特許文献１に記載された技術は、ＬＤＡＰサーバ装置を含む異なる種類のデータソースを統合的にオブジェクト化し、効率的にデータを検索する技術を開示する。より具体的には、検索する個々のデータにおける格納先等を意識せずに関連がある事項をキーワードにして一元的に検索を行う技術を開示する。
【００１６】
また、特許文献２に記載された技術は、Ｓｅｓｓｉｏｎ＿Ｉｎｉｔｉａｔｉｏｎ＿Ｐｒｏｔｏｃｏｌ(以下、「ＳＩＰ」と略称する)を用いるファクシミリ装置において、ファクシミリ送信先に正常に送信できなかった場合は、代替のファクシミリ送信先にファクシミリ送信を行うと共に、代替の送信先に送信していることがオペレータに判るようにする技術を開示する。
【００１７】
また、特許文献３に記載された技術は、操作者はユーザアカウント情報を保持するサーバ装置にログイン後、登録された送信先情報を検索し、操作キーとして表示させる技術を開示する。より具体的には、特許文献３に記載された技術は、上述したサーバ装置へログインする際に、毎回送信先の情報を検索するのはネットワークにとって負荷となるため、よく利用する送信先の情報（つまり、ワンタッチキー）のみ検索し、表示する技術を開示する。
【００１８】
また、特許文献４に記載された技術は、ユーザを認証する際の情報や、検索する際の検索条件に関する情報を携帯メモリに保持しておき、当該携帯メモリを対象装置に挿入し、ユーザ認証を経てから、目的とするデータ送信先情報を呼び出す技術を開示する。
【００１９】
また、特許文献５に記載された技術は、Ｇｒｏｕｐ３（以下、「Ｇ３」と略称する）規格を用いてファクシミリ（画像）データを送信する際に、送信先に関する情報を保持するデータベースを検索することで、インターネットファクシミリ送信による送信をも可能であると判明した場合には、Ｇ３ファクシミリ送信からインターネットファクシミリ送信に変更することによって通信費を抑制する技術を開示する。
【先行技術文献】
【特許文献】
【００２０】
【特許文献１】特開２００４−２５９０６６号公報
【特許文献２】特開２００５−０９４６６２号公報
【特許文献３】特開２００６−０７４３４５号公報
【特許文献４】特開２００７−０９６７０５号公報
【特許文献５】特開２０１０−０７４７７０号公報
【発明の概要】
【発明が解決しようとする課題】
【００２１】
しかしながら、特許文献１に記載された技術は、ＤＢを検索した結果を他のデータ送信装置における送信先として利用することについては考慮していない。
【００２２】
また、特許文献３及び特許文献４は、ＤＢを管理する手段として、ＬＤＡＰサーバ装置を用い、与えられたキーワードに基づいてそのキーワードに関連する情報をＤＢから検索することができる。
【００２３】
ここで、特許文献３に記載された技術は、送信する頻度が高い送信先をＬＤＡＰサーバ装置を利用して検索する技術を開示するものの、よく使う送信先を予めファクシミリ装置において保有しておく必要があると共に、ファクシミリ情報を送信するために、送信先を検索する情報の中からよく使う送信先を選ぶ際に、操作パネルにおける検索画面においてアドレスを入力する必要があるなど、操作者に負担をかける。
【００２４】
また、特許文献３は、登録された送信先への送信に失敗した際に、代替のアドレスやファクシミリ番号等を予め取得（登録）しておくことなどは意図していない。
【００２５】
また、特許文献４に記載された技術は、携帯メモリに検索条件を入力する手間が必要である。また、特許文献４は、登録された送信先への送信に失敗した際に、代替のアドレスやファクシミリ番号等を予め取得（登録）しておくことなどは意図していない。
【００２６】
つまり、特許文献１と、特許文献３及び特許文献４に記載された技術は、例えばＬＤＡＰサーバ装置等を利用し、情報を送信する際の送信先を、自装置におけるユーザＩＤ等をエントリ（つまり、個々のデータを登録する際の設定項目。以下同様）としてＬＤＡＰサーバ装置におけるＤＢにおいてエントリに関連する送信先を検索するように要求し、検索された関連する送信先のアドレスやファクシミリ番号等を、取得することまでは考慮していない。
【００２７】
また、特許文献２及び特許文献５は、データベースに登録された送信先へのファクシミリ情報の送信が何らかの理由で失敗した場合、予め定めた代わりのファクシミリ情報の送信先に当該ファクシミリ情報を送信する。
【００２８】
しかしながら、特許文献２が開示する技術は、最初のファクシミリ情報の送信ができない場合、ＳＩＰサーバからリダイレクトレスポンスによって代替送信先アドレスが提示されるので、その代替送信先アドレスへ送信する。つまり、特許文献２が開示する技術は、通信ネットワーク及び送信先の相手を含めてＳＩＰプロトコルを用いる必要がある。また、当該ＳＩＰプロトコル対応のファクシミリ装置は、リダイレクトサーバに代替アドレスを設定する必要があるため手間がかる。
【００２９】
また、特許文献２が開示する技術は、一般的なメールサーバに付帯するＬＤＡＰサーバ装置等の既存資源を使用し、送信先情報を取得するようなことは考慮していない。
【００３０】
また、特許文献５が開示する技術は、ＬＤＡＰサーバ装置から代替送信先の電子メールアドレスが取得できた場合にインターネットファクシミリに送信することが可能である。
【００３１】
しかしながら、特許文献５が開示する技術は、代替の送信先が設定されていなければ、Ｇ３ファクシミリの送信先にしか送信されない。また、特許文献５が開示する技術は、何れの送信先であっても、ファクシミリ情報の送信に失敗した際の代替アドレスや、代替ファクシミリ番号を設定しておくことは考慮していない。
【００３２】
また、一般的な技術は、ファクシミリ装置を利用する複数の操作者は、操作者毎に保有するよく利用するファクシミリ装置の送信先アドレス情報を上述したＬＤＡＰサーバ装置にそれぞれで登録すると、例えば各人が有する同一の送信先アドレスが重複して登録されることにより、登録する際の情報量が増え、且つ、当該ＬＤＡＰサーバ装置における例えばメモリ領域を圧迫する等の問題もある。
【００３３】
つまり、特許文献１乃至特許文献５が開示する技術は、ユーザＩＤ等をエントリとして登録されたＤＢにおいて、例えば送信先のアドレス情報をキーにして検索するために、予めアドレス情報等を組み込んだ検索条件を作成し、作成されたその検索条件を設定する必要があり、操作者に負担がかかるという課題がある。
【００３４】
また、特許文献１乃至特許文献５が開示する技術は、ＬＤＡＰサーバ装置を用いて代替の送信先を登録しておき、データの送信に失敗した場合に、必要に応じて或いは事前に、その代替の送信先を取得し、その取得した代替の送信先にデータを送信できるようにする方法については具体的には示されていない。
【００３５】
即ち、本発明の主たる目的は、上述した課題を解決するために、データを送信する際の送信先情報及びデータ送信が失敗した場合に用いる代替の送信先情報を、操作者に負担をかけることなく取得することができる送信先情報取得システム等を提供することである。
【課題を解決するための手段】
【００３６】
本発明は、上述した課題の解決を目的としてなされた。
【００３７】
即ち、本発明に係る送信先情報取得システムは、
データ送信部がデータを送信可能な送信先に関する送信先情報と、その送信先情報に対応する送信先にデータを送信するユーザを識別可能なユーザ識別子とが関連付けて登録された登録情報を、前記ユーザ識別子を含む検索要求に従って検索する検索部を備え、
前記登録情報には、更に、
前記送信先情報をエントリとして、その送信先情報の属性に前記ユーザ識別子が含まれており、
前記検索部は、
前記送信先情報の属性に含まれる特定のユーザ識別子を検索キーワードとして、前記登録情報を検索することにより、該特定のユーザ識別子に関連付けされた特定の送信先情報を取得することを特徴とする。
【００３８】
また、本発明の他の見地として、本発明に係る送信先情報取得方法は、
データ送信部がデータを送信可能な送信先に関する送信先情報と、その送信先情報に対応する送信先にデータを送信するユーザを識別可能なユーザ識別子とが関連付けて登録され、更に、前記送信先情報をエントリとして、その送信先情報の属性に前記ユーザ識別子が含まれる登録情報を、前記ユーザ識別子を含む検索要求に従って検索する検索部によって、前記送信先情報の属性に含まれる特定のユーザ識別子を検索キーワードとして、前記登録情報を検索し、
該特定のユーザ識別子に関連付けされた特定の送信先情報を取得する、
ことを特徴とする。
【００３９】
なお、同目的は、上記構成を有する送信先情報取得方法をコンピュータによって実現するコンピュータ・プログラム、及びそのコンピュータ・プログラムが格納されている、コンピュータ読み取り可能な記憶媒体、そして係る登録情報がデータベースをなすデータ構造によっても達成される。
【発明の効果】
【００４０】
本発明によれば、データを送信する際の送信先情報及びデータ送信が失敗した場合に用いる代替の送信先情報を、操作者に負担をかけることなく取得することができる。
【図面の簡単な説明】
【００４１】
【図１】本発明の第１の実施形態に係る送信先情報取得システムを例示するブロック図である。
【図２】本発明の第２の実施形態に係るファクシミリ装置において、送信先アドレス情報を取得する際の構成を例示するブロック図である。
【図３】本発明の第２の実施形態に係るファクシミリ装置において、送信先アドレス情報を取得する際のワンタッチアドレス画面の例を表す図である。
【図４】本発明の第２の実施形態に係るＬＤＡＰサーバ装置において、ユーザＩＤを基に送信先アドレス情報を取得する手順を説明するフローチャートである。
【図５】本発明の第２の実施形態に係るＬＤＡＰサーバ装置における登録された情報を表すＬＤＩＦファイルの内容例である。
【図６】本発明の第２の実施形態に係るファクシミリ装置において、ＬＤＡＰサーバ装置における送信先アドレス情報を検索した結果を取得する様子を表す図である。
【図７】本発明の第３の実施形態に係るファクシミリ装置において、検索した送信先アドレスへのファクシミリ情報の送信が失敗した場合に、別の送信先のアドレス情報を取得する構成を例示するブロック図である。
【図８】本発明の第３の実施形態に係るＬＤＡＰサーバ装置において、検索した送信先アドレスへのファクシミリ情報の送信が失敗した場合に、別の送信先のアドレス情報を取得する手順を説明するフローチャートである。
【図９】本発明の第３の実施形態に係るＬＤＡＰサーバ装置おいて、検索した送信先アドレスへのファクシミリ情報の送信が失敗した場合に、別の送信先のアドレス情報を取得するための登録情報を表すＬＤＩＦファイルの内容例である。
【図１０】本発明の第３の実施形態に係るファクシミリ装置において、検索したアドレスへの送信が失敗した場合に、ＬＤＡＰサーバ装置における別の送信先アドレス情報を検索した結果を取得する様子を表す図である。
【図１１】本発明の第４の実施形態に係る送信先アドレス情報を取得する際の処理を含むファクシミリ装置における処理を情報処理装置５００を用いて実現した際の構成例を示すブロック図である。
【図１２】本発明の第４の本実施形態に係るＬＤＡＰサーバ装置における送信先アドレス情報検索処理を情報処理装置を用いて実現した際の構成例を示すブロック図である。
【発明を実施するための形態】
【００４２】
以下、本発明を実施する形態について図面を参照して詳細に説明する。
【００４３】
＜第１の実施形態＞
本発明の第１の実施形態の構成について図１を用いて説明する。図１は、本発明の第１の実施形態に係る送信先情報取得システム１を例示するブロック図である。
【００４４】
本実施形態に係る送信先情報取得システム１は、データ送信部２がデータを送信可能な送信先に関する送信先情報３と、その送信先情報３に対応する送信先にデータを送信するユーザを識別可能なユーザ識別子４とが関連付けて登録された登録情報５を、ユーザ識別子４を含む検索要求６に従って検索する検索部７を備える。
【００４５】
そして、登録情報５は、更に、送信先情報３をエントリとして、その送信先情報３の属性にユーザ識別子４を含む。
【００４６】
そして、検索部７は、送信先情報３の属性に含まれる特定のユーザ識別子４を検索キーワードとして、登録情報５を検索することにより、特定のユーザ識別子４に関連付けされた特定の送信先情報３を取得する。
【００４７】
ここで、データ送信部２が保持するユーザ識別子４は、例えば、社員の名前等を表す。
【００４８】
また、登録情報５は、例えば、送信先情報３である送信先の電話番号や送信先のアドレス、及びユーザ識別子４等を格納する。
【００４９】
また、その検索部７は、検索結果である送信先情報３をデータ送信部２へ送信し、データ送信部２は、受信した送信先情報３に基づいてデータを適切に送信することができる。
【００５０】
つまり、本実施形態によれば、データを送信する際の送信先情報を、操作者に負担をかけることなく取得することができる。
【００５１】
その理由は、登録情報５において、送信先情報３をエントリとし、そのエントリにおける属性としてデータ送信部２自身が有するユーザ識別子を含むユーザ識別子４が関連付けられた送信先情報３を登録し、ユーザ識別子４を検索キーワードとして生成された検索要求６によって容易に送信先情報３を検索することができるからである。
【００５２】
尚、検索要求６は、更に備えられる要求発行部（図１において不図示）によって発行されるようにしてもよい。
【００５３】
以上、本発明の第１の実施形態として、上述した構成、及び動作を例に説明したが、本発明は、必ずしも係る構成や動作には限定されない。
【００５４】
＜第２の実施形態＞
本発明の第２の実施形態について図２乃至図５を用いて説明する。
【００５５】
図２は、本実施形態に係るファクシミリ装置２００において、送信先アドレス情報を取得する際の構成を例示するブロック図である。
【００５６】
図２を参照すると、本実施形態に係るファクシミリ装置の送信先情報取得システム１０は、ＬＤＡＰサーバ装置１００とファクシミリ装置２００とを有する。
【００５７】
ＬＤＡＰサーバ装置１００とファクシミリ装置２００とは、ＬＡＮインタフェース３００を介して通信可能に接続される。
【００５８】
ＬＤＡＰサーバ装置１００は、Ｉｎｔｅｎｅｔ＿Ｅｎｇｉｎｎｅｒｉｎｇ＿Ｔａｓｋ＿Ｆｏｒｃｅ（インターネットに関する技術標準を策定する団体；以下、「ＩＥＴＦ」と略称する）において策定されているＲＦＣ（ＩＥＴＦが正式に発行する文書でありＲｅｑｕｅｓｔ＿ｆｏｒ＿Ｃｏｍｍｅｎｔｓの略称）４５１０等で規定されるＬＤＡＰを利用した通信が可能なサーバ装置であり、ファクシミリ装置２００との通信はこのＬＤＡＰを利用して行うものとする。
【００５９】
まず、ＬＤＡＰサーバ装置１００は、ファクシミリ装置２００との間で通信を行うためのＬＡＮ制御部１１０と、ファクシミリ装置２００からの検索要求を解析し、後述するデータベース（ＤＢ）部１３０から該当する送信先アドレスを検索する検索部１２０と、送信先アドレスやユーザ識別子であるユーザＩＤ等の登録情報５を格納するＤＢ部１３０とを有する。
【００６０】
ここで、送信先アドレスは、例えば送信先のファクシミリ番号やインターネットファクシミリアドレス（以降、単に「アドレス」と称する場合がある。以下同様）を表す。
【００６１】
また、ＬＡＮ制御部１１０は、ファクシミリ装置２００からの、自装置が保有するユーザＩＤ２２０１が付加された検索要求２２０２を受信し、受信した検索要求２２０２を検索部１２０に渡す。
【００６２】
また、ＬＡＮ制御部１１０は、検索部１２０がＤＢ部１３０の内容を検索した検索結果をファクシミリ装置２００へ返信する。
【００６３】
また、検索部１２０は、ファクシミリ装置２００から通知されたユーザＩＤ２２０１が付加された検索要求に基づき、送信先のアドレス情報（つまり、エントリ）を、その属性値であるユーザＩＤ２２０１をキーワードとして検索することが可能な検索部２１１を備える（ＩＤは、Ｉｄｅｎｔｉｆｉｃａｔｉｏｎの略で、例えばファクシミリ装置を利用するそれぞれのユーザを特定可能な固有の識別情報（識別子）である）。
【００６４】
つまり、検索部２１１は、ユーザＩＤ２２０１を基に、ＤＢ部１３０から送信先アドレスを取り出す手段であり、ＤＢ部１３０から取り出された検索結果を検索部１２０に渡す。
【００６５】
ＤＢ部１３０は、図５に示すような例えばＬＤＡＰ＿Ｄａｔａ＿Ｉｎｔｅｒｃｈａｎｇｅ＿Ｆｏｒｍａｔ（以下、「ＬＤＩＦ」と略称する）ファイルを有する。図５は本実施形態に係るＬＤＡＰサーバ装置１００におけるＤＢ部１３０に登録された情報を表すＬＤＩＦファイルの内容例である。
【００６６】
このＬＤＩＦファイルは、送信先アドレスをエントリとしたディリクトリ構造（つまり、データを格納する際に検索しやすいように、階層化されたデータ構造）を有している。
【００６７】
例えば、ＤＢ部１３０におけるＬＤＩＦファイルは、ユーザＩＤ（以下、「ｕＩＤ」と略称する場合あり）２２０１を属性として含んでおり、そのユーザＩＤをキーワードとして検索を行うことが可能である。
【００６８】
次に、ファクシミリ装置２００の構成について説明する。ファクシミリ装置２００は、自装置における固有のＩＤであるユーザＩＤや、送信先のアドレス等を直接入力することができる入力部２１０と、後述する各種情報を記憶する記憶部２２０と、ＬＤＡＰサーバ装置１００と通信を制御するＬＡＮ制御部２３０と、送信先アドレスの検索結果２２０３を、後述する図３に示すワンタッチアドレスボタンを表示する表示制御部２４０と、表示されたボタンを選択するためのタッチパネル制御部２５０とを有する。
【００６９】
ここで、入力部２１０は、検索するユーザＩＤを取得できればよく、物理的なキー入力による方法や、ソフトウェアを用いて上述したようなタッチパネルからの入力や、ユーザＩＤ情報を有する記憶媒体であるカード等及びそのカードリーダ等を用いてユーザＩＤ情報等を入力することも可能である。尚、タッチパネルにおける入力は、指やペン等により入力できるようにすればよい。
【００７０】
また、記憶部２２０は、入力部２１０から入力されたユーザＩＤを格納するユーザＩＤ２２０１と、ＬＤＡＰサーバ装置１００に対するアドレスの検索要求を格納する検索要求２２０２と、ＬＤＡＰサーバ装置１００からのアドレス検索結果を格納する検索結果２２０３とを有する。
【００７１】
尚、ファクシミリ装置２００は、第１の実施形態において説明した検索要求６を発行する要求発行部（図１において不図示）に対応する。
【００７２】
また、ＬＡＮ制御部２３０は、記憶部２２０における検索要求２２０２を、ＬＤＡＰサーバ装置１００に対して送信する。そして、ＬＡＮ制御部２３０は、ＬＤＡＰサーバ装置１００から検索結果を受信する。また、ＬＡＮ制御部２３０は、受信した検索結果を検索結果２２０３として記憶部２２０に渡す。
【００７３】
また、表示制御部２４０は、記憶部２２０に保持している検索結果２２０３からアドレス情報を取り出し、その送信先アドレスをワンタッチアドレスとして図３に示すような表示画面に表示する。
【００７４】
図３は、本実施形態に係るファクシミリ装置２００において、送信先アドレスを取得する際のワンタッチアドレス画面の例を表す図である。
【００７５】
図３に示す操作表示板４００は、ワンタッチアドレスボタン４１０を表示し、操作者（不図示、以下同様）は、該当するワンタッチアドレスボタン４１０を押下（若しくはタッチ）することにより、当該ワンタッチアドレスボタン４１０に表示された送信先に、ファクシミリ情報を送信することができる。
【００７６】
尚、操作表示板４００は、図２における表示制御部２４０において例えば液晶表示パネル（不図示）を用いることが可能である。また、操作表示板４００は、液晶表示パネルにおける、操作者が操作する面にタッチパネル制御部２５０により制御される例えばタッチパネル（不図示）を有する。
【００７７】
また、操作者は、操作する際に入力された情報は、入力部２１０において処理される。
【００７８】
より具体的には、表示制御部２４０は、検索結果２２０３から取り出されたあるユーザＩＤ２２０１に関連付けられた例えば部署名を、図３に示すワンタッチアドレス数分（例えば、東京支社、大阪支社、名古屋支社等）に亘って表示する。
【００７９】
また、ファクシミリ装置２００は、例えば設置者が設置する際に、入力部２１０を用いて、当該ファクシミリ装置２００を例えば登録モードに切替えて、表示された例えば部署名とワンタッチボタンとを対応付けて登録することもできる。
【００８０】
次に、本実施形態に係るファクシミリ装置２００における、ワンタッチアドレスを取得する際の動作について、図２乃至図６を参照して更に詳細に説明する。
【００８１】
まず、ファクシミリ装置２００の操作者は、ワンタッチアドレスを取得する対象ファクシミリ装置２００における入力部２１０を用いて、自装置の名称を表すユーザＩＤを入力する。そして、ファクシミリ装置２００は、入力された自装置のユーザＩＤを記憶部２２０にユーザＩＤ２２０１として格納する。
【００８２】
次に、ファクシミリ装置２００は、ユーザＩＤ２２０１から関連づけられた自装置以外のファクシミリ装置における送信先アドレスを検索するための検索要求２２０２を生成する。
【００８３】
具体的には、ファクシミリ装置２００における操作者は、図６に示すＯｐｅｎ＿ＬＤＡＰにおいて策定され、利用されているＬＤＡＰにおけるＡＰＩ（Ａｐｐｌｉｃａｔｉｏｎ＿Ｐｒｏｇｒａｍ＿Ｉｎｔｅｒｆａｃｅ（以下、「ＡＰＩ」と略称する）を用いて、ユーザＩＤ２２０１に格納された自装置におけるユーザＩＤ（つまり、ｕｉｄ）が「ｔａｒｏｕ」であれば、「ｌｄａｐｓｅａｒｃｈ＿‘（ｕｉｄ＝ｔａｒｏｕ）’」を生成し、検索要求２２０２に格納しておく。
【００８４】
図６は、本実施形態に係るファクシミリ装置２００において、ＬＤＡＰサーバ装置１００における送信先アドレスを検索した結果を取得する様子を表す図である。
【００８５】
尚、ファクシミリ装置２００は、自装置におけるユーザＩＤが「ｔａｒｏｕ」であると判っているので、「ｌｄａｐｓｅａｒｃｈ＿‘（ｕｉｄ＝ｔａｒｏｕ）’」を予め生成するものとする。
【００８６】
つまり、ファクシミリ装置２００は、これにより、特許文献３が示すような操作者が操作表示板４００を操作して、検索要求を作成することなく、ファクシミリ装置２００において自動的に生成される検索要求がＬＤＡＰサーバ装置１００へ送信されるので操作者の負担を減らすことができる。
【００８７】
次に、ファクシミリ装置２００は、ユーザＩＤ２２０１を用いてＬＤＡＰサーバ装置１００へログインする際に、パスワードを入力することを求められた場合は、入力部２１０を用いてパスワードを入力するようにすればよい。
【００８８】
また、ファクシミリ装置２００は、上述したログインを契機として上述したように検索要求を自動的に生成するようにしてもよい。
【００８９】
次に、ファクシミリ装置２００は、生成した検索要求２２０２をＬＡＮ制御部２３０に送り、ＬＡＮ制御部２３０は、ＬＤＡＰサーバ装置１００に対して検索要求２２０２を送信する。
【００９０】
一方、ＬＤＡＰサーバ装置１００は、ＬＡＮ制御部１１０を介して、検索要求２２０２を受信する。
【００９１】
そして、ＬＤＡＰサーバ装置１００は、検索部１２０にて受信した検索要求２２０２の内容を解析し、データベース部１３０に格納された図５に示すＬＤＩＦファイルに記載された内容を検索する。
【００９２】
そして、検索部１２０は、図６に示す（１）項に表すように、受信した検索要求２２０２に基づいて、ＤＢ部１３０に記載された図５に示すＬＤＩＦファイルの内容に対してｌｄａｐｓｅａｒｃｈ＿‘（ｕｉｄ＝ｔａｒｏｕ）’を実行することにより、ＤＢ部１３０の検索を行なう。
【００９３】
そして、検索部１２０は、図６に示す（２）項、（３）項に表すように、目的とするアドレス情報（つまり、相手先のファクシミリ電話番号）である、ｆａｘ：＿０３−２３４５−ｘｘｘｘ、及び、ｆａｘ：＿０６−５４３２−ｙｙｙｙを取得する。
【００９４】
尚、上述したファクシミリ電話番号における下４桁を表す値は、説明の都合から、アルファベットを用いて略記しているが、数字の０から９までの数値をとるものとする（以下、同様）。
【００９５】
次に、図４を参照してＬＤＡＰサーバ装置１００における検索部１２０において行う検索部２１１の動作を更に詳しく説明する。図４は、本実施形態に係るＬＤＡＰサーバ装置1００において、ユーザＩＤ２２０１を基に送信先アドレス情報を取得する手順を説明するフローチャートである。
【００９６】
図４に示すフローチャートにおいて、ＬＤＡＰサーバ装置１００における検索部１２０は、ファクシミリ装置２００からの検索要求２２０２を受信する。そして検索部１２０は、検索部２１１を用いて、ＤＢ部１３０において、検索要求２２０２に付加された自装置におけるユーザＩＤ２２０１を含むユーザＩＤ２２０１に関連付けられた送信先アドレス情報を検索する（ステップＳ２１１１）。
【００９７】
そして、検索部１２０は、ユーザＩＤ２２０１に関連付けられた送信先のアドレス情報を検索した結果、ユーザＩＤ２２０１に関連づけられた送信先アドレスが見つかったら（ステップＳ２２１２にてＹＥＳ）、そのユーザの送信先アドレス情報（つまり、部署名や、ファクシミリ番号や、アドレス等）を検索結果２２０３に追加する（ステップＳ２１１３）。
【００９８】
そして、検索部１２０は、更に次の送信先アドレス情報を検索する（ステップＳ２１１１）。
【００９９】
そして、検索部１２０は、ユーザＩＤ２２０１に関連付けられたアドレスが見つからなかった場合（ステップＳ２１１２にてＮＯ）、検索を打ち切り検索結果２２０３を出力する（ステップＳ２２１４）。
【０１００】
より具体的に、ユーザＩＤとして「ｔａｒｏｕ」を例に、図４と、図６を用いて図５に示すＤＢ部１３０におけるＬＤＩＦファイルの内容を検索する際の動作を更に具体的に説明する。
【０１０１】
まず、図６に示すように、検索部１２０は、ファクシミリ装置２００からの検索要求２２０２として「ｌｄａｐｓｅａｒｃｈ＿‘（ｕｉｄ＝ｔａｒｏｕ）’」を実行する（図４にてステップＳ２１１１、図６における（１）項）。
【０１０２】
尚、説明の都合により、記載する電話番号等は、一例であり、この番号に限定しているわけではない。
【０１０３】
ここで、図５における１行目に示す、ｄｎ（ｄｉｓｔｉｎｇｕｓｈｅｄ＿ｎａｍｅ；つまり、識別名）は、ＬＤＡＰサーバ装置１００において、送信先を表す一意なエントリ名を表す。
【０１０４】
即ち、「ｆａｘ」は、送信先のファクシミリ番号を表すので、ファクシミリ番号が０３−２３４５−ｘｘｘｘであるエントリであることを示している。
【０１０５】
また、１行目の最後の箇所から、「ｃ（ｃｏｕｎｔｏｒｙ）」は、国を表し、即ち、「ＪＰ」は日本（国内）を表す。また、「ｏ（ｏｒｇａｎｉｚａｔｉｏｎ）は、つまり、組織名（会社名等）を表し、例えば「ｅｘａｍｐｌｅ」という名称の会社を意味する。
【０１０６】
また、図５における６行目に記載する「ｃｎ（ｃｏｍｍｏｎ_ｎａｍｅ）」は、部署名等の識別可能な名称を区別する際に用いる属性である。
【０１０７】
つまり、検索部１２０は、送信先アドレスであるファクシミリ番号をエントリ（ｄｎ）として用意し、その送信先アドレスに関連付けられた属性値（ｃｎ）として、例えば「東京支社」として検索することが可能である。
【０１０８】
つまり、ＬＤＩＦファイルは、後述するファクシミリ装置２００において、ｃｎで仕分けをすることにより、例えば「支店」というディレクトリ単位で表示をさせるようにすることも可能である。
【０１０９】
その際に、予めＬＤＡＰサーバ装置１００におけるＤＢ部１３０は、ＤＢ部１３０に記載するＬＤＩＦファイルにおいて、ｃｎに関連するユーザＩＤを記載しておけばよい。これによりファクシミリ装置２００側で操作する操作者の負担を軽減することも可能である。
【０１１０】
そして、検索部１２０は、図５に示す最初のエントリ「ｄｎ：＿ｆａｘ＝０３−２３４５−６７８９、ｏ＝ｅｘａｍｐｌｅ、ｃ＝ＪＰ」にはユーザＩＤである「ｕｉｄ＝ｔａｒｏｕ」が属性として存在するので、関連付けられた送信先アドレス情報を検索し（図４にてステップＳ２１１１）、送信先アドレス情報として見つかるので（図４に示すステップＳ２１１２においてＹＥＳ）、その送信先アドレス情報である「ｆａｘ＝０３−２３４５−ｘｘｘｘ」を検索結果２２０３に追加する（図４にてステップＳ２１１３、図６における（２）項）。
【０１１１】
さらに、検索部１２０は、検索を行い（図４にてステップＳ２１１１）、図５に示す次のエントリ「ｄｎ：＿ｆａｘ＝０６−５４３２−１０９８，ｏ＝ｅｘａｍｐｌｅ，ｃ＝ＪＰ」にも「ｕＩＤ＝ｔａｒｏｕ」が属性として存在するので、関連付けられた送信先アドレス情報を検索し（図４にてステップＳ２１１１）、送信先アドレス情報として見つかるので（図４に示すステップＳ２１１２においてＹＥＳ）、その送信先アドレスである「ｆａｘ＝０６−５４３２−ｙｙｙｙ」を検索結果２２０３に追加する（図４にてステップＳ２１１３）。
【０１１２】
そして、検索部１２０は、新たなユーザＩＤが見つからないか、若しくは送信先アドレス情報を検索しても見つからない場合は、検索を終了し、検索結果２２０３を出力する（図４にてステップＳ２１１４、図６における（３項））
そして、ＬＤＡＰサーバ装置１００は、検索部１２０にて検索した検索結果をＬＡＮ制御部１１０へ送り、ＬＡＮ制御部１１０は、ファクシミリ装置２００へ検索結果を送信する。
【０１１３】
次に、ファクシミリ装置２００は、ＬＡＮ制御部２３０を介して検索結果を受信する。ファクシミリ装置２００は、受信した検索結果を記憶部２２０に検索結果２２０３として保持する。
【０１１４】
次に、ファクシミリ装置２００は、検索結果２２０３を基に、表示制御部２４０にて、図３に示すように、操作表示板４００における表示画面において、検索された送信先アドレス若しくは、ファクシミリ番号に対応する部署名等を表すワンタッチアドレスのボタンとして表示する。
【０１１５】
尚、タッチパネル制御部２５０は、例えば透過型タッチパネルを用いて表示制御部２４０によって表示画面に表示された対象のワンタッチアドレスを表す位置にあるボタン表示部分をタッチすることにより、そのワンタッチアドレスを選択することが可能であり、それによって送信先を指定する。
【０１１６】
つまり、ファクシミリ装置２００は、送信先アドレスであるファクシミリ番号をエントリ（ｄｎ）として用意し、その属性値として登録されたｃｎを、例えば「東京支社」として係る操作表示板４００にボタン表示する。
【０１１７】
そして、ファクシミリ装置２００の操作者は、希望する送信先のワンタッチアドレスのボタン表示（例えば、「東京支社」）を目視し、例えばタッチパネルにおける当該ボタン表示の箇所をタッチすることにより、送信先を指定することができる。
【０１１８】
尚、ワンタッチアドレスボタン４１０を用いた送信先の指定を例に説明したが、入力部２１０を用いて送信先を登録する際にも、前述した表示制御部２４０とタッチパネル制御部２５０を使用することが可能である。
【０１１９】
つまり、本実施形態に係るファクシミリ装置２００の送信先情報取得システムにおける、第一の効果は、ファクシミリ装置２００にて特殊な検索手段を持つ必要がなく、アドレスの検索や登録を行なうことができる。
【０１２０】
また、ファクシミリ装置２００の操作者若しくは、ＬＤＡＰサーバ装置１００の管理者は、自装置２００を表すユーザＩＤ２２０１を含むユーザＩＤをＬＤＡＰサーバ装置１００におけるＤＢ部１３０に予めＬＤＩＦファイルに記載してさえいれば、関連する送信先をファクシミリ装置２００側において表示させることができる。
【０１２１】
また、ファクシミリ装置２００は、ＬＤＡＰサーバ装置１００におけるＤＢ部１３０において予め上述した内容を記載することにより、検索要求を自動生成するようにしていれば、操作者に検索要求を作成させる負担を削減できる。
【０１２２】
その理由は、ワンタッチアドレスを表示するために、既存のＬＤＡＰサーバ装置１００を用いて予めＤＢ部１３０におけるＬＤＩＦファイルに必要な情報を記載し、自装置及び関連する他装置が有するユーザＩＤ等を検索キーワードにして検索しているためである。
【０１２３】
本実施形態に係るファクシミリ装置の送信先取得システム１０における、第二の効果は、同一の送信先アドレスを、複数のユーザが持っている場合に、複数のユーザ毎に重複してＬＤＡＰサーバ装置等に登録するのではなく、ＬＤＡＰサーバ装置１００において、例えば共通のユーザ名を用い、一つのアドレスに一元化し、メモリ領域を節約することが可能となる。また、本ファクシミリ装置の送信先取得システム１０は、送信先アドレス情報が変更となった際にも、ＬＤＡＰサーバ装置１００における一度の変更で済む。
【０１２４】
その理由は、ＬＤＡＰサーバ装置１００のＤＢ部１３０におけるエントリとして、ユーザＩＤではなく、送信先のアドレス情報を登録しているためである。
【０１２５】
また、本実施形態に係るファクシミリ装置の送信先情報取得システム１０における、第三の効果は、複数のファクシミリ装置２００において、同様のワンタッチアドレスボタン４１０を画面表示したり、登録したりすることができるので、操作者は、会社や各部署において、統一的に操作することができる。
【０１２６】
その理由は、ネットワークに接続されたファクシミリ装置２００において、同じネットワークに接続されるＬＤＡＰサーバ装置１００の配下であれば、何処でも同じワンタッチアドレスの画面内容を表示させることができ、操作者は何れのファクシミリ装置においても容易に同じ画面を表示し、ファクシミリ情報の送信先を選択することができるからである。これにより操作者は操作する際の負担を減らすことができる。
【０１２７】
また、本実施形態に係るファクシミリ装置の送信先情報取得システム１０における、第四の効果は、操作者は、アドレス情報やユーザＩＤ情報等に変更があったとしても、ファクシミリ装置毎に設定を変更する必要はなく、会社や各部署において用いられるメールサーバ等に付帯するＬＤＡＰサーバ装置１００におけるＤＢ部１３０のみを更新すればよい。
【０１２８】
その理由は、ファクシミリ装置２００は、送信先アドレスを一元管理するＬＤＡＰサーバ装置のみを参照すればよいためである。また、接続するファクシミリ装置２００における記憶部は、送信する機会毎に、ＬＤＡＰサーバ装置１００におけるＤＢ部１３０の内容を基に最新に更新されるので、操作者は、各ファクシミリ装置２００それぞれに例えばワンタッチアドレスを設定したり、変更したりする必要がないため、ユーザの負担を減らすことができるからである。
【０１２９】
尚、本実施形態に係るファクシミリ装置の送信先取得システム１０は、追加のキーワードを用いて例えば、目的のファクシミリ装置へのファクシミリ情報の送信が完了できなかった場合に、代替のファクシミリ番号を予め登録しておき、それを検索することができる。
【０１３０】
その理由は、ＬＤＡＰサーバ装置１００は、ユーザＩＤの他にも例えば第２の送信先情報などに対応する任意の情報を新たに定義することにより追加することができるからである。また、ファクシミリ装置２００は、その定義に応じた検索要求を生成することができるからである。
【０１３１】
ＬＤＡＰサーバ装置１００における検索部１２０は、それらの情報を、例えばＯｐｅｎ＿ＬＤＡＰ(ＬＤＡＰを規定する団体)が定めるＡＰＩにおける関数等を用いて取得することができるからである。
【０１３２】
つまり、本実施形態は、第１の実施形態を基本としている。そのため、本実施形態は、第１の実施形態が有する効果を同様に有する。
【０１３３】
本実施形態によれば、ファクシミリ情報を送信する際の送信先情報を、操作者に負担をかけることなく取得することができる。
【０１３４】
以上、本発明の第２の実施形態として、上述した構成、及び動作を例に説明したが、本発明は、必ずしも係る構成や動作には限定されない。
【０１３５】
＜第３の実施形態＞
次に、本発明における第３の実施形態について、図７及び図９を参照して詳細に説明する。
【０１３６】
図７は、本実施形態に係るファクシミリ装置１０００において、検索した送信先アドレスへのファクシミリ情報の送信が失敗した場合に、別の送信先のアドレス情報を取得する構成を例示するブロック図である。
【０１３７】
図７に示すファクシミリ装置の送信先情報取得システム５０は、ＬＤＡＰサーバ装置９００と、ファクシミリ装置１０００とを有する。
【０１３８】
図７に示すファクシミリ装置の送信アドレス取得システム５０は、ファクシミリ装置１０００における記憶部２６０が、図２に示された第２の実施形態における記憶部２２０の構成に加え、再検索要求２２０４、再検索結果２２０５を新たに有し、再送信先のアドレスを取得する点が、第１及び第２の実施形態と異なる。
【０１３９】
ここで、再検索要求２２０４は、図７に示された本実施形態におけるＬＤＡＰサーバ装置９００に対して、送信先アドレスの新たな検索要求である再検索要求を表す。
【０１４０】
また、再検索結果２２０５は、図７に示された本実施形態におけるＬＤＡＰサーバ装置９００に対して、送信先アドレスを再検索した結果を示したものである。
【０１４１】
また、ＬＤＡＰサーバ装置９００の検索部１４０は、図２に示された第２の実施形態における検索部１２０の構成に加え、検索部２１２を有する点が異なる。
【０１４２】
検索部２１２は、ファクシミリ装置１０００が検索要求２２０２で検索した送信先アドレスに対して何らかの理由でファクシミリ情報を完了できなかった際に、代わりの送信先アドレスを用意するための検索手段として新たに用意される。
【０１４３】
従って、以下の説明においては、本実施形態に係る特徴的な部分を中心に説明すると共に、上述した第２の実施形態と同様な構成については、同一の参照番号を付すことにより重複する説明を省略する。
【０１４４】
また、データベース部１５０は、図５で示すＤＢ部１３０が有するＬＤＩＦファイルのデータに対して、更に代わりの送信先アドレスを要求するデータを追加した、図９に示すＬＤＩＦファイルのデータを有する。
【０１４５】
図９は、本実施形態に係るＬＤＡＰサーバ装置９００において、検索した送信先アドレスへのファクシミリ情報の送信が失敗した場合に、別の送信先のアドレス情報を取得するための登録情報を表すＬＤＩＦファイルの内容例である。
【０１４６】
図９に示すＬＤＩＦファイルのデータは、第２の実施形態において示した図５におけるＬＤＩＦファイルの内容と同様に、送信先アドレス情報をエントリとしたディリクトリ構造を有しており、この中にユーザＩＤ（ｕｉｄ）を属性として有している。図９では、それに加えて新たなアドレス（例えば、代替のファクシミリ番号）を属性として用意（図９における下線部分）する。
【０１４７】
次に、本実施形態について、図７乃至図１０を参照してファクシミリ装置１０００における動作を詳細に説明する。
【０１４８】
図７を参照すると、操作者は、ファクシミリ装置１０００において、入力部２１０を用いて、自装置におけるユーザＩＤ２２０１を入力し、表示制御部２４０にてワンタッチアドレスの表示を行う処理までは、図２で示した第２の実施形態の動作と同じであるため説明は省略する。
【０１４９】
続いて、ファクシミリ装置１０００を使用する操作者は、希望する送信先のワンタッチアドレスを選択しファクシミリ情報を送信する。その際に、本ファクシミリ装置の送信先情報取得システム５０は、選択した送信先アドレスへの送信が失敗した場合、代わりのアドレスを再検索することによりＤＢ部１５０から新たな送信先アドレスを取得し、ファクシミリ情報の再送を行なうことができる。そのために、ファクシミリ装置１０００は、送信に失敗した送信先アドレスを基にして再検索要求２２０４を生成する。
【０１５０】
具体的には、ファクシミリ装置１０００の操作者は、図１０における（１）項に表すｌｄａｐｓｅａｒｃｈコマンドを利用して、送信に失敗したアドレスが例えば、「０３−２３４５−ｘｘｘｘ」であれば、「ｌｄａｐｓｅａｒｃｈ＿―ｂ＿‘ｆａｘ＝０３−２３４５−ｘｘｘｘ，ｏ＝ｅｘａｍｐｌｅ，ｃ＝ＪＰ’（ｆａｘ；＿ｘ−ｒｅａｄｄｒｅｓｓ＝＊）」を生成する。
【０１５１】
尚、＊印は、全ての属性値を読み出すことができることを意味する。
【０１５２】
また、図１０は、本実施形態に係るファクシミリ装置において、検索したアドレスへの送信が失敗した場合に、ＬＤＡＰサーバ装置における別の送信先アドレス情報を検索した結果を取得する様子を表す図である。
【０１５３】
この「ｆａｘ；＿ｘ−ｒｅａｄｄｒｅｓｓ」は、ｆａｘ属性における代替としてのアドレスを要求すること示す。従って、例えば、上述した「ｌｄａｐｓｅａｒｃｈ＿−ｂ」コマンドは、「ｆａｘ＝０３−２３４５−ｘｘｘｘ」への送信が失敗した場合に、代替であるアドレスを検索する再検索要求を意味する。
【０１５４】
ここで、第２の実施形態と同様に、ファクシミリ装置１０００は、送信先及び代替の送信先アドレス情報が判っているので、ファクシミリ情報の送信における失敗発生を経ずとも、予め自動的に代替のファクシミリ番号を含む検索要求を生成しておくことができる。
【０１５５】
そのため、ファクシミリ装置１０００は、予め生成された代替の送信先アドレスをＬＤＡＰサーバ装置９００へ送信して、送信先アドレスを検索させ、その検索結果をファクシミリ装置１０００において格納しておき、ファクシミリ装置１０００側において、ファクシミリ情報の送信に失敗した際に、改めて再検索要求２２０４を送信して代替えアドレスを検索して取得するのではなく、すぐさま代替のファクシミリ番号宛に当該送信に失敗したファクシミリ情報を送信することが可能である。
【０１５６】
さらには、本ファクシミリ装置の送信先情報取得システム５０は、属性値を定義することによって、送信した結果に応じて代替の送信先に送信した結果が成功したか、失敗したかを、操作者若しくは、受信者に通知させることができる。これにより操作者は、操作する際の負担を減らすことができる。
【０１５７】
つまり、本ファクシミリ装置の送信先情報取得システム５０は、失敗したアドレスを持つエントリ「ｆａｘ＝０３−２３４５−ｘｘｘｘ，ｏ＝ｅｘａｍｐｌｅ，ｃ＝ＪＰ」に対して、代わりのアドレスを検索（再検索）する要求である「ｘ−ｒｅａｄｄｒｅｓｓ」を定義する。
【０１５８】
次に、ファクシミリ装置１０００は、この再検索要求２２０４を、ＬＡＮ制御部２３０を介してＬＤＡＰサーバ装置９００へ送信する。
【０１５９】
そして、ＬＤＡＰサーバ装置９００は、ＬＡＮ制御部１１０を介して再検索要求２２０４を受信する。
【０１６０】
ＬＤＡＰサーバ９００における検索部１４０は、受信した再検索要求２２０４を解析し、その解析結果を基に、後述する図９に示すＤＢ部１５０におけるＬＤＩＦファイルに記載された内容に対して検索を行う。
【０１６１】
次に、図８を参照し、検索部１４０で行う、再検索要求２２０４に対応する検索部２１２における動作を説明する。
【０１６２】
図８は、本実施形態に係るＬＤＡＰサーバ装置９００において、検索した送信先アドレスへのファクシミリ情報の送信が失敗した場合に、別の送信先のアドレス情報を取得する手順を説明するフローチャートである。
【０１６３】
図８において、ＬＤＡＰサーバ装置９００における検索部１４０は、ファクシミリ装置１０００から再検索要求２２０４を受信すると、ファクシミリ装置１０００において、ファクシミリ情報の送信に失敗した送信先アドレスを検索し、そのアドレスを示すエントリの中に代替となる他のアドレスがあるか否かを検索する（ステップＳ２１２１）。
【０１６４】
そして、検索部１４０は、ステップＳ２１２１おいて、検索した代替アドレスが見つかるか否かを確認する（ステップＳ２１２２）。
【０１６５】
そして、検索部１４０は、代替となるアドレス情報が見つかれば（ステップＳ２１２２にてＹＥＳ）、再検索結果２２０５を出力する（ステップＳ２１２４）。
【０１６６】
そして、検索部１４０は、ステップＳ２１２２において、代替となるアドレス情報が見つからなかった場合（ステップＳ２１２２においてＮＯ）は、該当アドレス無しとして、空の再検索結果２２０５を出力する（ステップＳ２１２３）。
【０１６７】
より具体的には、送信先のファクシミリ番号「０３−２３４５−ｘｘｘｘ」を例に、図８及び図１０を用い、図９のＤＢ部１５０におけるＬＤＩＦファイルのデータ内容を検索する動作を説明する。
【０１６８】
まず、検索部１４０は、ファクシミリ装置１０００から受信した再検索要求２２０４である、「ｌｄａｐｓｅａｒｃｈ＿−ｂ＿‘ｆａｘ＝０３−２３４５−ｘｘｘｘ，ｏ＝ｅｘａｍｐｌｅ，ｃ＝ＪＰ’（ｆａｘ；＿ｘ−ｒｅａｄｄｒｅｓｓ＝＊）」を実行する（図８にてステップＳ２１２１、図１０における（１）項）。
【０１６９】
そして、検索部１４０は、アドレス「ｆａｘ＝０３−２３４５−ｘｘｘｘ」のエントリに、このアドレスの代替となるアドレスが存在するかどうかを調べるため、「ｆａｘ；＿ｘ−ｒｅａｄｄｒｅｓｓ」の属性を検索する。
【０１７０】
そして、検索部１４０は、代替となるアドレスが見つかったら、再検索結果２２０５として出力する（図８にてステップＳ２１２４、図１０における（２）項）。
【０１７１】
その際、検索部１４０は、代替となるアドレスが見つからなかった場合には、該当アドレス無しとして空の再検索結果２２０５を出力する（図８にてステップＳ２１２３、図１０における（３）項）。
【０１７２】
そして、ＬＤＡＰサーバ装置９００は、検索部１４０にて検索した再検索結果をＬＡＮ制御部１１０へ送り、ＬＡＮ制御部１１０はファクシミリ装置１０００へ再検索結果を送信する。
【０１７３】
次にファクシミリ装置１０００は、ＬＡＮ制御部２３０を介して再検索結果を受信する。
【０１７４】
そして、ファクシミリ装置１０００は、受信した再検索結果を記憶部２６０に再検索結果２２０５として記憶する。
【０１７５】
次にファクシミリ装置１０００は、再検索結果２２０５を基に、検索された代替アドレスに対して、ファクシミリ情報の送信を行う。
【０１７６】
これにより、本実施形態によれば、ネットワークに接続されたファクシミリ装置１０００において、選択した送信先アドレスへの送信が失敗した際に、代わりの送信先アドレスへ再送信を行なうことができる。
【０１７７】
その理由は、新たに代替送信先アドレスを定義して、予めＤＢ部１５０において代替送信先アドレスを記載しておくことによって、当該ファクシミリ情報の送信が失敗した場合に、再検索を行い取得することができるからである。
【０１７８】
また、本実施形態は、第２の実施形態を基本としている。そのため、本実施形態は、第２の実施形態が有する効果を同様に有する。
【０１７９】
本実施形態によれば、ファクシミリ情報を送信する際の送信先情報及びファクシミリ情報の送信が失敗した場合に用いる代替の送信先情報を、操作者に負担をかけることなく取得することができる。
【０１８０】
以上、本発明の第３の実施形態として、上述した構成、及び動作を例に説明したが、本発明は、必ずしも係る構成や動作には限定されない。
【０１８１】
（第３の実施形態の応用例）
第３の実施形態の応用例について説明する。第３の実施形態では、ファクシミリ情報の送信が失敗した場合に、送信に失敗した送信先アドレス情報を基に再検索を行い、取得した代替送信先アドレス情報に基づいて、ファクシミリ情報の再送信を行なう例を説明した。
【０１８２】
本応用例では、ファクシミリ装置１０００が、送信先のファクシミリ装置へのファクシミリ情報の送信に失敗した際に、当該送信したファクシミリ装置が取得するエラーコード（情報）が表すエラー内容に応じて、別の送信先ファクシミリ番号若しくは別の送信先アドレスへ送信するようにするか、または、所定の時間が経過した後に、送信に失敗したファクシミリ装置における送信先に再度送信するかの何れかの再送信を行なう。
【０１８３】
より具体的には、ファクシミリ装置１０００は、取得したエラーコード（情報）に対応するエラーの内容が、例えば、操作者の介在が必要である内容であれば、別の送信先アドレスへ送信するように再検索要求を生成し、ＬＤＡＰサーバ装置９００に対して送信する。
【０１８４】
また、ファクシミリ装置１０００は、取得したエラーコード（情報）に対応するエラーの内容が、例えば操作者の介在が不要であって、例えば５分間などの所定の時間が経過した後に、送信側及び受信側それぞれのファクシミリ装置が稼動可能な状態に復帰可能であれば、その経過時間に更に余裕時間を考慮した例えば１０分間等の時間が経過した後に、同じ送信先へ再送信する。
【０１８５】
本実施形態の応用例によれば、ファクシミリ情報の送信に失敗した際に、適切なファクシミリ装置へ再送信を行なうことができる。
【０１８６】
その理由は、ファクシミリ装置が取得するエラーコード（情報）が表す内容を基に、別の送信先アドレスに再送信するか、または、所定の時間が経過した後に、同じ送信先アドレスに送信するからである。これにより、操作者は、操作の負担を減らすことができる。
【０１８７】
以上、本発明の第３の実施形態の応用例として、上述した構成、及び動作を例に説明したが、本発明は、必ずしも係る構成や動作には限定されない。
【０１８８】
＜第４の実施形態＞
本発明の第４の実施形態の構成について図１１及び図１２を用いて説明する。図１１は、本実施形態に係る送信先アドレス情報を取得する際の処理を含むファクシミリ装置における処理を情報処理装置５００を用いて実現した際の構成例を示すブロック図である。
【０１８９】
また、図１２は、本実施形態に係るＬＤＡＰサーバ装置における送信先アドレス情報検索処理を情報処理装置６００を用いて実現した際の構成例を示すブロック図である。
【０１９０】
尚、本実施形態に係る情報処理装置５００及びＬＤＡＰサーバ装置である情報処理装置６００における説明においては、第１乃至第３の実施形態と重複する箇所の説明は避ける。
【０１９１】
まず、図１１を参照すると、本実施形態に係る情報処理装置５００は、Ｃｅｎｔｒａｌ＿Ｐｒｏｃｃｅｓｓｉｎｇ＿Ｕｎｉｔ（以下、「ＣＰＵ」と略称する）５０１と、メモリ５０２と、各種設定プログラム５０３と、不揮発性主記憶装置５０４と、記憶媒体リーダライタ５０５と、記憶部５０６と、通信制御部５０７と、通信インタフェース５０８と、操作制御部５０９と、表示操作部５１０と、コントローラ５１１と、Ｒｅａｄ＿Ｏｎｌｙ＿Ｍｅｍｏｒｙ（以下、「ＲＯＭ」と略称する）５１２と、Ｒａｎｄｏｍ＿Ａｃｃｅｓｓ＿Ｍｅｍｏｒｙ（以下、「ＲＡＭ」と略称する）５１３と、記憶媒体５２０と、各種制御プログラム５２１と、データバス５２２とを有する。
【０１９２】
また、各種設定プログラム５０３は、ワンタッチアドレス検索処理５１４と、代替アドレス検索処理５１５とを有する。
【０１９３】
また、各種制御プログラム５２１は、ファクシミリ制御部５１６と、プリンタ制御部５１７と、スキャナ制御部５１８と、コピー制御部５１９及び情報処理装置５００全体を制御するプログラムである。但し、上述した各制御部の何れかは、ＣＰＵやメモリ及びコントローラ等を有して個別に制御を行い、データバス５２２を通して連携して動作する構成をとる場合もある。
【０１９４】
ここで、各種設定プログラム５０３は、例えば、情報処理装置５００における自身の電話番号や、その電話番号を通信相手に表示させる設定をしたり、ワンタッチボタンに取得した送信先（名称）を割り当てたりする登録処理を行う。
【０１９５】
また、情報処理装置５００における通信制御部５０７は、通信インタフェース５０８において、公衆電話回線（Ｐｕｂｌｉｃ＿Ｓｗｉｔｃｈｅｄ＿Ｔｅｌｅｐｈｏｎｅ＿Ｎｅｔｗｏｒｋｓ；以下、「ＰＳＴＮ」と略称する）及び、ＬＡＮ回線の両方（不図示）を収容するものとする。
【０１９６】
また、情報処理装置５００における操作制御部５０９は、表示操作部５１０を制御する。
【０１９７】
また、表示操作部５１０は、図２に示す第２の実施形態における表示制御部２４０及びタッチパネル制御部２５０に対応する。
【０１９８】
また、記憶部５０６は、ファクシミリ制御部５１６において送受信したファクシミリ情報や、プリンタ制御部５１７へ印刷する情報や、スキャナ制御部５１８から読取った原稿情報及び、コピー制御部５１９において読取った情報をコピーする際の情報を記憶する。
【０１９９】
また、情報処理装置５００は、汎用の情報処理装置を用いてもよく、また、専用装置を用いて実現するようにしてもよい。
【０２００】
また、図１１に示す、本実施形態に係る情報処理装置５００は、メモリ５０２に展開された各種設定プログラム５０３におけるワンタッチアドレス検索処理５１４及び代替アドレス検索処理５１５が、ＣＰＵ５０１、及びＯｐｅｒａｔｉｎｇ＿Ｓｙｓｔｅｍ（以下、「ＯＳ」と略称する）と協働することにより、ＬＤＡＰサーバ装置である情報処理装置６００において送信先アドレス情報を検索し、取得した送信先アドレス情報を基に、ファクシミリ情報を送信することが可能である。
【０２０１】
ここで、ワンタッチアドレス検索処理５１４は、第２の実施形態において図４を用いて動作を説明済みである。また、代替アドレス検索処理５１５は、第３の実施形態において図８を用いて動作を説明済みである。従って、ここでの詳細な説明は省略する。
【０２０２】
また、図１１に示す、本実施形態に係る情報処理装置５００は、上述したファクシミリ装置の送信先情報取得システム１０や５０（図２や図７）におけるファクシミリ装置２００や１０００側の各機能ブロック及びその制御を表すフローチャート（図４や図８）に記載された処理手順を実現可能なコンピュータ・プログラム（即ち、各種設定プログラム５０３）として供給する。
【０２０３】
一方、図１２を参照すると、本実施形態に係るＬＤＡＰサーバ装置の機能を実現する情報処理装置６００は、ＣＰＵ６０１と、メモリ６０２と、ＬＤＡＰ_ＤＢ部検索プログラム６０３と、不揮発性主記憶装置６０４と、記憶媒体リーダライタ６０５と、データバス６０６と、通信インタフェース６０７と、入出力コントローラ６０８と、記憶媒体６１０と、ＲＯＭ６１３と、ＲＡＭ６１４とＬＤＡＰサーバプログラム６１５と、ＤＢ部６１６とを有する。
【０２０４】
また、情報処理装置６００は、通信インタフェース６０７として例えばＬＡＮインタフェースを有し、情報処理装置５００におけるＬＡＮインタフェースと接続される。
【０２０５】
また、ＬＤＡＰ＿ＤＢ部検索プログラム６０３は、アドレス検索処理６１１と、代替アドレス検索処理６１２とを有する。
【０２０６】
また、情報処理装置６００によるＬＤＡＰサーバ装置は、汎用の情報処理装置であってもよく、また専用装置を用いて実現するようにしてもよい。
【０２０７】
また、図１２に示す、本実施形態に係るＬＤＡＰサーバ装置である情報処理装置６００は、図２及び図７に示すブロック図におけるＬＤＡＰサーバ装置１００及び９００が有する各機能及び、図４及び図８に示すフローチャートにおける各処理とを、図１２に示す情報処理装置６００が有するＣＰＵ６０１と、そのＣＰＵ６０１において動作するソフトウェアであるＯＳ並びに、メモリ６０２に展開したコンピュータ・プログラムであるＬＤＡＰ＿ＤＢ部検索プログラム６０３とが協働することにより実現する。
【０２０８】
また、図１２に示す、本実施形態に係るＬＤＡＰサーバ装置における各機能を実現する情報処理装置６００は、上述したファクシミリ装置の送信先情報取得システム１０や５０（図２や図７）におけるＬＤＡＰサーバ装置１００や９００側の各機能ブロック及びその制御を表すフローチャート（図４や図８）に記載された処理手順を実現可能なコンピュータ・プログラム（即ち、ＬＤＡＰ＿ＤＢ部検索プログラム６０３）として供給する。
【０２０９】
また、メモリ６０２に展開されるＬＤＡＰ＿ＤＢ部検索プログラム６０３は、ＬＤＡＰサーバ装置が有する送信先を検索するための各機能をソフトウェア処理モジュールとして有する。つまり、ＬＤＡＰ＿ＤＢ部検索プログラム６０３は、アドレス検索処理６１１と、代替アドレス検索処理６１２とを有している。
【０２１０】
これら各ソフトウェア処理モジュールの動作は、第２及び第３の実施形態におけるそれぞれに対応する図４及び図８において機能を説明しているので、本実施形態での説明は省略する。
【０２１１】
また、情報処理装置６００は、メモリ６０２において、ＬＤＡＰサーバプログラム６１５を有する。ＬＤＡＰサーバプログラム６１５は、本情報処理装置６００をＬＤＡＰサーバ装置として動作させるためのプログラムである。
【０２１２】
また、情報処理装置６００は、ＤＢ部６１６を有する。ＤＢ部６１６は、例えば情報処理装置５００における送信先アドレスが、その属性を表す部署名や、ユーザＩＤ等と共にＬＤＩＦファイルとして記録されている。
【０２１３】
本ＤＢ部６１６におけるＬＤＩＦファイルから、ファクシミリ情報を送信する際の送信先を検索する動作は、第２及び第３の実施形態において説明しているので、本実施形態での説明は省略する。
【０２１４】
そして、上述した処理を有するコンピュータ・プログラムを本情報処理装置６００におけるアドレス検索処理６１１及び代替アドレス検索処理６１２を制御する方法として用意した上記ＣＰＵ６０１及び協働するＯＳ並びに、ＬＤＡＰ＿ＤＢ部検索プログラム６０３をメモリ６０２に読み出して実行することによって、第２及び第３の実施形態で説明したファクシミリ装置の送信先情報取得システム１０若しくは５０におけるＬＤＡＰサーバ装置１００若しくは９００の動作が達成される。
【０２１５】
また、当該情報処理装置５００や、情報処理装置６００へのコンピュータ・プログラムの供給方法は、フロッピー（登録商標）ディスクやＣＤ−ＲＯＭ（Ｃｏｍｐａｃｔ＿Ｄｉｓｃ−Ｒｅａｄ＿Ｏｎｌｙ＿Ｍｅｍｏｒｙ）等のディスクメディアや、ユニバーサルシリアルバス（Ｕｎｉｖｅｒｓａｌ＿Ｓｅｒｉａｌ＿Ｂｕｓ：以下「ＵＳＢ」と略称する）メモリ等のメモリメディア等の各種のコンピュータ読み取り可能な記憶媒体５２０や６１０を介して、当該情報処理装置５００や、当該情報処理装置６００内へ、記憶媒体リーダライタ５０５や６０５を用いてインストールする方法を採用可能である。
【０２１６】
また、当該情報処理装置５００や６００へのコンピュータ・プログラムの供給方法は、データバス５２２や６０６を介して外部装置からインストールする方法或いは、通信インタフェース５０８や６０７を用いてインターネット等の有線や無線等の通信可能な通信回線を介して外部装置よりダウンロードする方法等のように、現在では一般的な手順を採用することができる。
【０２１７】
そして、このような場合において、本実施形態は、係るコンピュータ・プログラムを構成するコード、或いは係るコードが記録されたところの、コンピュータ読み取り可能な記憶媒体５２０や、６１０によって構成されると捉えることができる。
【０２１８】
つまり、本実施形態によれば、柔軟かつ容易にファクシミリ装置の送信先情報取得システムを実現することができる。
【０２１９】
その理由は、例えば汎用の情報処理装置において、ハードウェアと協働することにより柔軟に動作させるソフトウェアプログラムである各種設定プログラム５０３や、ＬＤＡＰ＿ＤＢ部検索プログラム６０３等を用いて制御することができるからである。
【０２２０】
また、本実施形態は、第１乃至第３の実施形態を基本としている。そのため、本実施形態は、第１乃至第３の実施形態が有する効果を同様に有する。
【０２２１】
即ち、本実施形態によれば、ファクシミリ情報を送信する際の送信先情報及びファクシミリ情報の送信が失敗した場合に用いる代替の送信先情報を、操作者に負担をかけることなく取得することができる。
【０２２２】
以上、本発明の第４の実施形態として、上述した構成、及び動作を例に説明したが、本発明は、必ずしも係る構成や動作には限定されない。
【産業上の利用可能性】
【０２２３】
本発明は、上述した各実施形態には限定されず、例えば電話帳などのアドレス一覧を統一的に表示し、表示されたアドレスの中から送信先を選択することにより取得した送信先アドレスに対してデータ送信を行う情報処理装置や情報処理システム等に利用可能である。
【符号の説明】
【０２２４】
１    送信先情報取得システム
２    データ送信部
３    送信先情報
４    ユーザ識別子
５    登録情報
６    検索要求
７    検索部
１０    ファクシミリ装置の送信先情報取得システム
５０    ファクシミリ装置の送信先情報取得システム
１００    ＬＤＡＰサーバ装置
１１０    ＬＡＮ制御部
１２０    検索部
１３０    データベース部
１４０    検索部
１５０    データベース部
２００    ファクシミリ装置
２１０    入力部
２１１    検索部
２１２    検索部
２２０    記憶部
２３０    ＬＡＮ制御部
２４０    表示制御部
２５０    タッチパネル制御部
２６０    記憶部
３００    ＬＡＮインタフェース
４００    操作表示板
４１０    ワンタッチアドレスボタン
５００    情報処理装置
５０１    ＣＰＵ
５０２    メモリ
５０３    各種設定プログラム
５０４    不揮発性主記憶装置
５０５    記憶媒体リーダライタ
５０６    記憶部
５０７    通信制御部
５０８    通信インタフェース
５０９    操作制御部
５１０    表示操作部
５１１    コントローラ
５１２    ＲＯＭ
５１３    ＲＡＭ
５１４    アドレス検索処理
５１５    代替アドレス検索処理
５１６    ファクシミリ制御部
５１７    プリンタ制御部
５１８    スキャナ制御部
５１９    コピー制御部
５２０    記憶媒体
５２１    各種制御プログラム
５２２    データバス
６００    情報処理装置
６０１    ＣＰＵ
６０２    メモリ
６０３    ＬＤＡＰ＿ＤＢ部検索プログラム
６０４    不揮発性主記憶装置
６０５    記憶媒体リーダライタ
６０６    データバス
６０７    通信インタフェース
６０８    入出力コントローラ
６１０    記憶媒体
６１１    アドレス検索処理
６１２    代替アドレス検索処理
６１３    ＲＯＭ
６１４    ＲＡＭ
６１５    ＬＤＡＰサーバプログラム
９００    ＬＤＡＰサーバ装置
１０００    ファクシミリ装置
２２０１    ユーザＩＤ
２２０２    検索要求
２２０３    検索結果
２２０４    再検索要求
２２０５    再検索結果
【図１】
2014068150.tif 000003
【図２】
2014068150.tif 000004
【図３】
2014068150.tif 000005
【図４】
2014068150.tif 000006
【図５】
2014068150.tif 000007
【図６】
2014068150.tif 000008
【図７】
2014068150.tif 000009
【図８】
2014068150.tif 000010
【図９】
2014068150.tif 000011
【図１０】
2014068150.tif 000012
【図１１】
2014068150.tif 000013
【図１２】
2014068150.tif 000014